(57)【要約】【課題】タンク内の急激な圧力上昇に短時間で対応する。【解決手段】第１槽１３０および第２槽１４０は、タンク１１０と各々接続されて絶縁ガスを貯留する。第１開閉弁１６０は、タンク１２０と第１槽１３０との接続部に設けられ、タンク１２０の内部の圧力が第１閾値より高いときのみ開く。第２開閉弁１６１は、タンク１２０と第２槽１４０との接続部に設けられ、タンク１２０の内部の圧力が第１閾値より低い第２閾値より低いときのみ開く。圧縮装置１５０は、第１槽１３０に接続され、第１槽１３０の内部の圧力を降下させた状態で維持する。【選択図】図１
2017208396.tif 000002
【特許請求の範囲】
【請求項１】
静止誘導機器本体と、
前記静止誘導機器本体を収容し、内部に絶縁ガスが充填されているタンクと、
互いに接続され、かつ、前記タンクと各々接続されて前記絶縁ガスを貯留する、第１槽および第２槽と、
前記タンクと前記第１槽との接続部に設けられ、前記タンクの内部の圧力が第１閾値より高いときのみ開く第１開閉弁と、
前記タンクと前記第２槽との接続部に設けられ、前記タンクの内部の圧力が前記第１閾値より低い第２閾値より低いときのみ開く第２開閉弁と、
前記第１槽に接続され、前記第１槽の内部の圧力を降下させた状態で維持する圧縮装置とを備える、静止誘導機器。
【請求項２】
前記圧縮装置が、前記第１槽と前記第２槽との接続部に設けられ、前記第１槽の内部の圧力を降下させるとともに前記第２槽の内部の圧力を上昇させる、請求項１に記載の静止誘導機器。
【請求項３】
前記第２槽に設けられた加熱器をさらに備え、
前記絶縁ガスの一部は、前記第２槽の内部において液化しており、
前記第２開閉弁が開いたとき、前記加熱器が前記第２槽の内部において液化した前記絶縁ガスの一部を気化させる、請求項１または請求項２に記載の静止誘導機器。
【発明の詳細な説明】
【技術分野】
【０００１】
本発明は、静止誘導機器に関し、特に、絶縁媒体として絶縁ガスが用いられている静止誘導機器に関する。
【背景技術】
【０００２】
絶縁媒体として絶縁ガスが用いられている静止誘導機器の構成を開示した先行文献として、実開昭６２−７３５１２号公報(特許文献１)がある。特許文献１に記載された静止誘導機器は、静止誘導機器本体と、静止誘導機器本体を収容する密封容器と、密封容器内に封入され、静止誘導機器本体を絶縁するための絶縁ガスと、密封容器内の圧力変動を吸収するために絶縁ガスを貯蔵または放出する貯槽と、密封容器内から絶縁ガスを貯槽内に送り込む圧縮機と、密封容器から貯槽への絶縁ガスの流通を開閉する弁と、貯槽から密封容器への絶縁ガスの流通を開閉する弁とを備える。
【先行技術文献】
【特許文献】
【０００３】
【特許文献１】実開昭６２−７３５１２号公報
【発明の概要】
【発明が解決しようとする課題】
【０００４】
特許文献１に記載された静止誘導機器は、１つのみの貯槽を備え、圧縮機の作動により絶縁ガスを貯蔵または放出させているため、密封容器であるタンク内の急激な圧力上昇に短時間で対応する観点から改善の余地がある。
【０００５】
本発明は上記の問題点に鑑みてなされたものであって、タンク内の急激な圧力上昇に短時間で対応できる、静止誘導機器を提供することを目的とする。
【課題を解決するための手段】
【０００６】
本発明に基づく静止誘導機器は、静止誘導機器本体と、タンクと、第１槽および第２槽と、第１開閉弁と、第２開閉弁と、圧縮装置とを備える。タンクは、静止誘導機器本体を収容し、内部に絶縁ガスが充填されている。第１槽および第２槽は、互いに接続されている。第１槽および第２槽は、タンクと各々接続されて上記絶縁ガスを貯留する。第１開閉弁は、タンクと第１槽との接続部に設けられ、タンクの内部の圧力が第１閾値より高いときのみ開く。第２開閉弁は、タンクと第２槽との接続部に設けられ、タンクの内部の圧力が第１閾値より低い第２閾値より低いときのみ開く。圧縮装置は、第１槽に接続され、第１槽の内部の圧力を降下させた状態で維持する。
【発明の効果】
【０００７】
本発明によれば、タンク内の急激な圧力上昇に短時間で対応できる。
【図面の簡単な説明】
【０００８】
【図１】本発明の実施形態１に係る静止誘導機器の構成を示す系統図である。
【図２】本発明の実施形態２に係る静止誘導機器の構成を示す系統図である。
【発明を実施するための形態】
【０００９】
以下、本発明の各実施形態に係る静止誘導機器について図面を参照して説明する。以下の実施形態の説明においては、図中の同一または相当部分には同一符号を付して、その説明は繰り返さない。
【００１０】
(実施形態１)
図１は、本発明の実施形態１に係る静止誘導機器の構成を示す系統図である。図１に示すように、本発明の実施形態１に係る静止誘導機器１００は、静止誘導機器本体１１０と、タンク１２０と、第１槽１３０および第２槽１４０と、第１開閉弁１６０と、第２開閉弁１６１と、圧縮装置１５０とを備える。
【００１１】
静止誘導機器本体１１０は、変圧器またはリアクトルなどである。タンク１２０は、静止誘導機器本体１１０を収容し、内部に絶縁ガスが充填されている。絶縁ガスは、絶縁媒体および冷却媒体として機能する。絶縁ガスは、本実施形態においてはＳＦ6ガスであるが、ドライエアまたは窒素ガスなどであってもよい。
【００１２】
第１槽１３０および第２槽１４０は、互いに接続されている。本実施形態においては、圧縮装置１５０が、第１槽１３０と第２槽１４０との接続部に設けられている。具体的には、第１槽１３０と圧縮装置１５０とが、配管１９１によって互いに接続されている。圧縮装置１５０と第２槽１４０とが、配管１９２によって互いに接続されている。
【００１３】
第１槽１３０および第２槽１４０は、タンク１２０と各々接続されて絶縁ガスを貯留する。具体的には、第１槽１３０とタンク１２０とが、配管１９０によって互いに接続されている。第２槽１４０とタンク１２０とが、配管１９３によって互いに接続されている。
【００１４】
第１槽１３０は、タンク１２０内の絶縁ガスの量の約２０％を収容可能な容量を有していればよい。第２槽１４０は、タンク１２０内の絶縁ガスの量の約１０％を収容可能な容量を有していればよい。
【００１５】
第１開閉弁１６０は、タンク１２０と第１槽１３０との接続部に設けられている。第２開閉弁１６１は、タンク１２０と第２槽１４０との接続部に設けられている。具体的には、第１開閉弁１６０は、配管１９０に設けられている。第２開閉弁１６１は、配管１９３に設けられている。
【００１６】
第１開閉弁１６０は、タンク１２０の内部の圧力が第１閾値より高いときのみ開く。第２開閉弁１６１は、タンク１２０の内部の圧力が第１閾値より低い第２閾値より低いときのみ開く。第１閾値は、たとえば、０．２０ＭＰａＧである。第２閾値は、たとえば、０．１９ＭＰａＧである。
【００１７】
圧縮装置１５０は、第１槽１３０の内部の圧力を降下させた状態で維持する。本実施形態においては、圧縮装置１５０は、第１槽１３０の内部の圧力を降下させるとともに第２槽１４０の内部の圧力を上昇させる。圧縮装置１５０は、第１開閉弁１６０が閉じている状態において、第１槽１３０の内部の圧力を、たとえば、−０．０９ＭＰａＧで維持する。圧縮装置１５０は、第２開閉弁１６１が閉じている状態において、第２槽１４０の内部の圧力を、たとえば、０．６ＭＰａＧで維持する。
【００１８】
なお、タンク１２０が地下に配設される場合、第１槽１３０、第２槽１４０および圧縮装置１５０は地上に配設されてもよい。この場合、静止誘導機器１００を配設するために必要な地下空間の容積を低減できる。
【００１９】
以下、本発明の実施形態１に係る静止誘導機器１００の動作について説明する。
タンク１２０の内部の圧力が０．１９ＭＰａＧ以上０．２０ＭＰａＧ以下である通常圧力状態においては、第１開閉弁１６０および第２開閉弁１６１の各々は閉じており、圧縮装置１５０によって、第１槽１３０の内部の圧力は−０．０９ＭＰａＧで維持され、第２槽１４０の内部の圧力は０．６ＭＰａＧで維持されている。
【００２０】
静止誘導機器本体１１０の発熱または放電などにより絶縁ガスが膨張または分解し、タンク１２０の内部の圧力が急激に上昇して０．２０ＭＰａＧより高い高圧力状態になったとき、第１開閉弁１６０が開く。これにより、タンク１２０内の絶縁ガスの一部が、低圧に維持されていた第１槽１３０内に急速に流入する。その結果、タンク１２０の内部の圧力が急激に降下して通常圧力状態に戻される。通常圧力状態に戻ると、第１開閉弁１６０が閉じる。第１槽１３０内に流入した絶縁ガスは、圧縮装置１５０によって圧縮された後、第２槽１４０内で貯えられる。
【００２１】
一方、静止誘導機器本体１１０の停止中に外気温の低下により絶縁ガスが収縮し、タンク１２０の内部の圧力が急激に降下して０．１９ＭＰａＧより低い低圧力状態になったとき、第２開閉弁１６１が開く。これにより、高圧に維持されていた第２槽１４０内から絶縁ガスがタンク１２０内に急速に流入する。その結果、タンク１２０の内部の圧力が急激に上昇して通常圧力状態に戻される。通常圧力状態に戻ると、第２開閉弁１６１が閉じる。
【００２２】
上記のように、本発明の実施形態１に係る静止誘導機器１００は、タンク１２０内の急激な圧力上昇に短時間で対応できる。また、静止誘導機器１００は、タンク１２０内の急激な圧力降下に短時間で対応できる。本発明の実施形態１に係る静止誘導機器１００においては、通常圧力状態にて、第１槽１３０の内部を低圧に維持し、第２槽１４０の内部を高圧に維持していることにより、圧縮装置１５０の容量によらずに、タンク１２０内の急激な圧力変化に短時間で対応できる。そのため、圧縮装置１５０の容量を低減して、小型の圧縮装置１５０を用いることができる。
【００２３】
本発明の実施形態１に係る静止誘導機器１００においては、圧縮装置１５０が第１槽１３０と第２槽１４０との接続部に設けられていることにより、１つの圧縮装置１５０によって、第１槽１３０の内部の圧力を降下させるとともに第２槽１４０の内部の圧力を上昇させることができる。よって、第１槽１３０の内部の圧力を降下させる圧縮装置と、第２槽１４０の内部の圧力を上昇させる圧縮装置とを、別々に設けた場合に比較して、静止誘導機器１００を小型化することができる。ただし、第１槽１３０の内部の圧力を降下させる圧縮装置と、第２槽１４０の内部の圧力を上昇させる圧縮装置とが、別々に設けられていてもよい。
【００２４】
(実施形態２)
以下、本発明の実施形態２に係る静止誘導機器について説明する。本発明の実施形態２に係る静止誘導機器は、加熱器をさらに備える点が主に、本発明の実施形態１に係る静止誘導機器１００と異なるため、本発明の実施形態１に係る静止誘導機器１００と同様の構成については説明を繰り返さない。
【００２５】
図２は、本発明の実施形態２に係る静止誘導機器の構成を示す系統図である。図２に示すように、本発明の実施形態２に係る静止誘導機器２００は、第２槽２４０に設けられた加熱器２４１をさらに備える。
【００２６】
以下、本発明の実施形態２に係る静止誘導機器２００の動作について説明する。
タンク１２０の内部の圧力が０．１９ＭＰａＧ以上０．２０ＭＰａＧ以下である通常圧力状態においては、第１開閉弁１６０および第２開閉弁１６１の各々は閉じており、圧縮装置１５０によって、第１槽１３０の内部の圧力は−０．０９ＭＰａＧで維持され、第２槽２４０の内部の圧力は０．４ＭＰａＧで維持されている。第２槽２４０の内部において、絶縁ガスの一部は液化して液体になっている。
【００２７】
静止誘導機器本体１１０の発熱または放電などにより絶縁ガスが膨張または分解し、タンク１２０の内部の圧力が急激に上昇して０．２０ＭＰａＧより高い高圧力状態になったとき、第１開閉弁１６０が開く。これにより、タンク１２０内の絶縁ガスの一部が、低圧に維持されていた第１槽１３０内に急速に流入する。その結果、タンク１２０の内部の圧力が急激に降下して通常圧力状態に戻される。通常圧力状態に戻ると、第１開閉弁１６０が閉じる。第１槽１３０内に流入した絶縁ガスは、圧縮装置１５０によって圧縮された後、第２槽２４０内で貯えられる。
【００２８】
一方、静止誘導機器本体１１０の停止中に外気温の低下により絶縁ガスが収縮し、タンク１２０の内部の圧力が急激に降下して０．１９ＭＰａＧより低い低圧力状態になったとき、第２開閉弁１６１が開く。第２開閉弁１６１が開いたとき、加熱器２４１が作動し、第２槽２４０の内部において上記液体を気化させる。その結果、タンク１２０の内部の圧力が上昇して通常圧力状態に戻される。通常圧力状態に戻ると、第２開閉弁１６１が閉じ、加熱器２４１の作動が停止する。
【００２９】
上記のように、本発明の実施形態２に係る静止誘導機器２００は、タンク１２０内の急激な圧力上昇に短時間で対応できる。また、静止誘導機器２００は、第２槽２４０の内部において、絶縁ガスの一部を液化して液体状態で貯えるため、第２槽２４０の容量を低減して第２槽２４０を小型化することができる。
【００３０】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００３１】
１００，２００  静止誘導機器、１１０  静止誘導機器本体、１２０  タンク、１３０  第１槽、１４０，２４０  第２槽、１５０  圧縮装置、１６０  第１開閉弁、１６１  第２開閉弁、１９０，１９１，１９２，１９３  配管、２４１  加熱器。 
【図１】
2017208396.tif 000003
【図２】
2017208396.tif 000004